(57)【特許請求の範囲】
【請求項１】
作業空間の前面に開口部を備え、作業空間外から作業空間内の作業を行うことを可能としたクリーンベンチに於いて、作業空間前面の開口部に、前記開口部両側に設けたガイド部材により上下可動に、開口部の高さよりも少ない高さを有する透明板を支持してなるシャッターを設け、透明板上端縁には、前記ガイド部材により上下動可動に案内されるシート体端部を固定し、前記シート体の他端は捲き取りドラムに巻き付け支持してなるクーリーンベンチ。
【請求項２】
透明板の高さは、開口部の高さの２分の１程度とすることを特徴とする請求項１記載のクリーンベンチ。
【発明の詳細な説明】
【技術分野】
【０００１】
本発明は、清浄作業空間を構成する作業台空間の外から作業者が作業空間内の作業を行うクリーンベンチであって、作業空間とクリーンベンチ外部とを区切るシャッターの収納手段に特徴を有し、かつ、作業範囲の視認性も損なわないようにしたクリーンベンチに係る。
【背景技術】
【０００２】
クリーンベンチ１００において清浄作業空間１０３を構成する作業台１０２の外部に配置された作業者が、清浄作業空間１０３内に手を挿しのべ、手作業を行う場合、清浄作業空間１０３の前面に透明な材料によるパネル１１２を設け、該パネル１１２に外部から作業空間内に延びるグローブを設けたクリーンベンチ１００が知られているが、清浄作業空間１０３の前面を開放するため前面パネル１１２を上昇する場合には、パネル上昇量を見込んだスペースを装置上部に確保しておかなければならない（特許文献１参照）。
【０００３】
また、清浄作業台１０２前面の作業者が、清浄作業空間１０３内部に手を挿入し作業を行うタイプの場合、清浄作業台前面の透明パネル１１２を上昇しなければならないが、この装置にあっても装置上部に透明パネル１１２を上昇させる空間が当然必要となった。そのために、上記透明パネル１１２に代えて可撓性シートをロール状に巻回して清浄作業台の上部に置き、清浄作業台前面をカバーするときは、ロール状に巻回した可動シートを引き出して前面開口部を被うドラフトチャンバーが作られた（特許文献２）。
【０００４】
然しながら、上記ドラフトチャンバーにあっては、チャンバー外部の作業者が清浄空間内に手を挿し入れて作業する際に、作業対象物品を見るのに可撓性シートを通して見ることになり、従来のガラス等の透明板を通して見るよりも視認性が劣り使用上問題があった。
【特許文献１】実用新案登録第３１０４２１１号公報
【特許文献２】特開平７−３２３２３６号公報
【発明の開示】
【発明が解決しようとする課題】
【０００５】
本発明は上記の点に鑑みて、クリーンベンチ外の作業者が清浄作業台上で作業を行うために、清浄作業台前のシャッターを上昇する際に、前記シャッターの収納のために広い範囲が取られるようなことがなく、狭小な場所にシャッターを収納することが出来、かつ、清浄作業空間で手作業をするために手先を看視する視線を妨げることもないシャッターを得ることを目的としている。
【課題を解決するための手段】
【０００６】
請求項１記載の発明にあっては、作業空間の前面に開口部を備え、作業空間外から作業空間内の作業を行うことを可能としたクリーンベンチに於いて、作業空間前面の開口部に、前記開口部両側に設けたガイド部材により上下可動に、開口部の高さよりも少ない高さを有する透明板を支持してなるシャッターを設け、透明板上端縁には、前記ガイド部材により上下動可動に案内されるシート体端部を固定し、前記シート体の他端は捲き取りドラムに巻き付け支持してなる。
請求項２記載の発明にあっては、請求項１記載のクリーンベンチにおいて、透明板の高さを開口部の高さの２分の１程度としている。
【発明の効果】
【０００７】
前面シャッターの下部を透明板状体とすると共にシャッター上部を可撓性を有するシート体とし、該シート体は巻取ドラムに巻回して開口部上位に配したため、シャッター下縁の上昇位置如何にかかわらず常にクリーンベンチにおけるシャッター装置の最上位置は一定であり、クリーンベンチ設置案内の天井高が低い室内においても、作業空間有効開口寸法を確保することが出来る。
大型装置にあっては、開口部を閉塞するシャッターの透明板も重量のあるものとなるが、本発明は開口部前面を透明板状体で被っているのではなく、開口部の上部を被っているのは、下部の透明板状体を吊り下げ状態で支持しているシート状体であるため装置全体の重量を低下させることが出来る。
作業時に作業空間内に手を挿し込むためにシャッターを上昇させたとき、作業空間開口部を閉塞するシャッターの下部が透明板状体となっているため、作業室内の視認性が確保出来る。
【発明を実施するための最良の形態】
【０００８】
本発明クリーンベンチ１について図面と共に以下説明する。
クリーンベンチ１は、作業台２を有しその上面を作業空間３とし、作業空間３の下部には作業空間３と連通するダクト４を経てファン５に至る吸気路を構成し、作業空間３の背部に設けた循環路６によりファン５の排気を作業空間３の上部に設けたチャンバー７に導く。チャンバー７にはヘパフィルター８が設けられヘパフィルター８を通過した清浄気流は、作業空間３に天井部目板９から作業空間３に流出する。
【０００９】
ここで作業空間３の前面開口部１０の両側には対のガイドレール１１，１１が設けられ、対のガイドレール１１，１１間にはシャッター１２がその両側を挾持される形で上下摺動自在に設けられている。
【００１０】
シャッター１２は、シャッター１２が作業空間３の前面開口部１０を閉じた状態のとき前面開口部１０の下部を閉じるガラス等の透明板状体１３と、前面開口部１０の上部を閉じる撓属性を有するフィム製シート体１４とよりなり、図３Ａ，Ｂに示す如く、両者は接続されている。即ち、透明板状体１３の上端縁にｈ字形の接続金具１５をコーキング材等により固定し接続金具１５の上端延長部に設けたスタッド１６をシート体１４下端に設けた小孔に通し裏座１７を当てがい袋ナット１８を締め付けることでシート体１４を接続金具１５と裏座１７で固定する。
【００１１】
シート体１４は、クリーンベンチ天井部に設けられた巻取機構取付金具１９に支持された巻取ロール２０に巻き付けられており、図示しない巻取ロール回転機構の正逆回転により巻取ロール２０への巻き付け、或いは引き出しを行っている。２１は化粧カバーである。
【００１２】
本発明のクリーンベンチ１は、前面開口部１０の前側に作業者が立ち或いは椅子に掛けて位置し、シャッター１２を若干上昇して前面開口部１０の下部を開放し、開放した部位から手を作業空間３内に挿し入れ作業台２上で適宜作業を行うが、この際シャッター１２の上昇により開いた前面開口部１０の上位に、透明板状体１３（ガラス）製のシャッター１２が位置することになり、作業者の手元を見る視線は透明板状体１３のために妨げられることなく目視することが出来る。
【００１３】
そして、前面開口部１０を最大に開いたとしても、シャッター１２は透明板状体１３が前面開口部１０において上位に上昇した位置で停止し、それよに上部のシャッター１２はシート体１４で構成されているために巻取ロール２０に巻き取られ化粧カバー２１内に収容されることになるため、従前のクリーンベンチの開口シャッターの如く、クリーンベンチのボックスの高さを超えて上昇し突出するようなことはなく、当該装置が必要とする最大高さを低下させ得る。
【産業上の利用可能性】
【００１４】
本発明装置はクリーンベンチの開口部に設けられたシャッター下部を、一部透明板状体とし上部を可撓性を有するシート体としたために、作業空間の開口部を開く際にシート体をロール状に巻き取ることによってシャッターの収容スペースの高さを低くし、ひいてはクリーンベンチの装置全体の高さが高くなるのを防ぐことが出来、かつ、シャッター下部の透明板状体の存在により開口部内状況を目視することが出来るので、特にクリーンベンチとは限らず、工作用装置などに適用し、装置の高さを低くし、目視下の工作が行える小型装置として利用出来る。
【図面の簡単な説明】
【００１５】
【図１】本発明クリーンベンチの側面図。
【図２】本発明クリーンベンチのシャッター巻き上げ部分の拡大断面図。
【図３】シャッターの接続部分を示し、Ａは縦断側面図、Ｂは正面図。
【図４】従来のクリーンベンチの一部切断側面図。
【符号の説明】
【００１６】
１  クリーンベンチ
２  作業台
３  作業空間
４  ダクト
５  ファン
６  循環路
７  チャンバー
８  ヘパフィルター
９  天井部板目
１０  前面開口部
１１  ガイドレール
１２  シャッター
１３  透明板状体
１４  シート体
１５  接続金具
１６  スタッド
１７  裏座
１８  袋ナット
１９  巻取機構取付金具
２０  巻取ロール
２１  化粧カバー
【図１】
0004609803.tif 000002
【図２】
0004609803.tif 000003
【図３】
0004609803.tif 000004
【図４】
0004609803.tif 000005